(57)【要約】【課題】本発明は、波長に適した駆動電圧振幅で光変調器を駆動することにより、波長依存特性による問題を解決し、広い入力波長範囲を有する光変調器駆動装置及びそれを用いる光伝送装置を提供する。【解決手段】本発明は、被変調用の光信号が入力される光信号入力端子と、この被変調用の光信号を強度変調するための変調用の電気信号を含む駆動信号が入力される駆動信号入力端子と、この駆動信号によって前記被変調用の光信号が強度変調された光信号を出力する光信号出力端子とを備えた光変調器を駆動する光変調器駆動装置であって、前記駆動信号の駆動電圧振幅レベルを出力振幅制御信号に応じて可変することが可能な光変調器駆動回路と、前記被変調用の光信号の波長情報を取得する波長情報取得手段と、この波長情報に応じて、前記光変調器駆動回路の出力振幅を予め測定データなどにより規定される前記光変調器の変調性能を保証することが可能な所定の出力振幅値とするための前記出力振幅制御信号を出力する機能を有した制御回路とを具備することを特徴とする。【選択図】　　図１
2004126024.tif 000002
【特許請求の範囲】
【請求項１】
被変調用の光信号が入力される光信号入力端子と、この光信号入力端子に入力される被変調用の光信号を強度変調するための変調用の電気信号を含む駆動信号が入力される駆動信号入力端子と、この駆動信号入力端子に入力される変調用の電気信号を含む駆動信号によって前記光信号入力端子に入力される被変調用の光信号が強度変調された光信号を出力する光信号出力端子とを備えた光変調器を駆動する光変調器駆動装置において、
前記光変調器の駆動信号入力端子に入力すべき駆動信号の駆動振幅レベルを出力振幅制御信号に応じて可変することが可能な光変調器駆動回路と、
前記光変調器の光信号入力端子に入力される被変調用の光信号の波長情報を取得する波長情報取得手段と、
この波長情報取得手段によって取得される被変調用の光信号の波長情報に応じて、前記光変調器駆動回路の出力振幅を予め測定データなどにより規定しておいた前記光変調器の変調性能を保証することが可能な所定の出力振幅値とするための前記出力振幅制御信号を前記光変調器駆動回路に出力する機能を有した制御回路（２）と、
を具備することを特徴とする光変調器駆動装置。
【請求項２】
前記制御回路は、予め、前記光変調器が所定の波長帯域での消光比を含む所定の変調性能を保証することができる駆動電圧振幅を満たすように波長対駆動電圧振幅値がテーブル形式で格納されている波長対駆動電圧振幅メモリを含むことを特徴とする請求項１記載の光変調器駆動装置。
【請求項３】
前記波長情報取得手段は、前記光変調器の光信号入力端子に入力される被変調用の光信号の波長設定値情報から前記波長情報を取得することを特徴とする請求項１または２に記載の光変調器駆動装置。
【請求項４】
前記波長情報取得手段は、前記光変調器の光信号入力端子に入力される被変調用の光信号から前記波長情報を取得することを特徴とする請求項１または２に記載の光変調器駆動装置。
【請求項５】
前記波長情報取得手段は、前記光変調器の光信号出力端子から出力される強度変調された光信号から前記波長情報を取得することを特徴とする請求項１または２に記載の光変調器駆動装置。
【請求項６】
被変調用の光信号を出力する光源と、
前記光源からの被変調用の光信号が入力される光信号入力端子と、この光信号入力端子に入力される被変調用の光信号を強度変調するための変調用の電気信号を含む駆動信号が入力される駆動信号入力端子と、この駆動信号入力端子に入力される変調用の電気信号を含む駆動信号によって前記光信号入力端子に入力される被変調用の光信号が強度変調された光信号を出力する光信号出力端子とを備えた光変調器と、
前記光変調器の駆動信号入力端子に入力すべき駆動信号の駆動振幅レベルを出力振幅制御信号に応じて可変することが可能な光変調器駆動回路と、
前記光変調器の光信号入力端子に入力される被変調用の光信号の波長情報を取得する波長情報取得手段と、
この波長情報取得手段によって取得される被変調用の光信号の波長情報に応じて、前記光変調器駆動回路の出力振幅を予め測定データなどにより規定しておいた前記光変調器の変調性能を保証することが可能な所定の出力振幅値とするための前記出力振幅制御信号を前記光変調器駆動回路に出力する機能を有した制御回路（２）と、
を具備することを特徴とする光伝送装置。
【請求項７】
前記制御回路は、予め、前記光変調器が所定の波長帯域での消光比を含む所定の変調性能を保証することができる駆動電圧振幅を満たすように波長対駆動電圧振幅値がテーブル形式で格納されている波長対駆動電圧振幅メモリを含むことを特徴とする請求項６記載の光伝送装置。
【請求項８】
前記波長情報取得手段は、前記光変調器の光信号入力端子に入力される被変調用の光信号の波長設定値情報から前記波長情報を取得することを特徴とする請求項６または７に記載の光伝送装置。
【請求項９】
前記波長情報取得手段は、前記光変調器の光信号入力端子に入力される被変調用の光信号から前記波長情報を取得することを特徴とする請求項６または７に記載の光伝送装置。
【請求項１０】
前記波長情報取得手段は、前記光変調器の光信号出力端子から出力される強度変調された光信号から前記波長情報を取得することを特徴とする請求項６または７に記載の光伝送装置。
【発明の詳細な説明】
【０００１】
【発明の属する技術分野】
本発明は光変調器駆動装置及びそれを用いる光伝送装置に係り、特に、波長特性を補正制御する機能をもたせるようにした光変調器駆動装置及びそれを用いる光伝送装置に関する。
【０００２】
【従来の技術】
近時、光伝送システムの分野においては、高ビットレート化、波長多重化による伝送容量の拡大が行われている。
【０００３】
このような光伝送システムの信号送信部においては、変調時の波長変動が小さく長距離伝送が可能な外部変調方式が多く採用されている。
【０００４】
この外部変調方式に用いられる光変調器としては、ＬＮ（ＬｉＮｂＯ３　結晶）光変調器及び電界吸収型（Ｅｒｅｃｔｒｉｃ　Ａｂｓｏｒｐｔｉｏｎ：ＥＡ）光変調器の２つのタイプが主流である。
【０００５】
このうち、ＬＮ光変調器は、チャープ量制御が良好で、挿入損失が小であると共に、波長範囲が広いという長所を有しているが、駆動電圧が大であると共に、動作点を保つための自動バイアス制御が必要であり、装置の小型化が困難であるというのが短所である。
【０００６】
一方、ＥＡ光変調器は、小型で、駆動電圧が小であると共に、レーザダイオード（ＬＤ）との集積化が可能という長所を有しているが、チャープ量制御が悪く、挿入損失が大であると共に、波長範囲が狭く、波長依存性が大であるというのが短所である。
【０００７】
そして、ＬＮ光変調器は、伝送品質を保証することができる使用波長範囲が広く、波長多重化を実施しているシステムにおいては、Ｃバンド（１５２８〜１５７０ｎｍ）やＬバンド（１５７０〜１６０６ｎｍ）を一つのＬＮ光変調器でカバーすることも可能であり、量産性によるコストダウンやシステムバックアップサンプルの少数化を図ることができるという利点もある。
【０００８】
一方、ＥＡ光変調器は、本来的に、伝送品質を保証することができる使用波長範囲が狭く、ＬＤとの集積化が可能という特質を生かして、ＬＤ＋ＥＡ光変調器タイプとするのが主流である。
【０００９】
このことは、波長多重システムにおいては、各波長範囲をカバーするためにはＬＤ＋ＥＡ光変調器としての製品品種が増えるということにつながっている。
【００１０】
ただし、ＬＤ＋ＥＡ光変調器としての一体化によるコストダウンと小型化及び駆動電圧が小さいという特徴により波長多重化を実施しているシステムでも採用されている。
【００１１】
もともと、ＬＤは、波長ごとに、準備する必要があるため（最近は２〜４波の可変光源あり）、一体化することによるメリットも多い。
【００１２】
ただし、ＬＤ＋ＥＡ光変調器として最も特徴が生かされのは波長多重化しないシステムにおいてである。
【００１３】
すなわち、この場合には、ＥＡ光変調器における波長範囲が狭いという問題がなくなり、かつ、システムが短距離伝送であることが多いため、ＥＡ光変調器におけるチャープ量制御が悪いこと及び挿入損失が大であることに起因する伝送品質の劣化等の問題も少なくなるからである。
【００１４】
ところで、光伝送装置の送信部は、高ビットレート化（２．５Ｇｂｐｓ／１０Ｇｂｐｓから４０Ｇｂｐｓ以上への移行）により、伝送位相マージンが少なくなるにもかかわらず、使用デバイスの性能マージンも小さくなるため、伝送品質を保証するためには、よりシビアな光変調器駆動制御（例えば、駆動電圧振幅制御）が必要となってくる。
【００１５】
ＬＮ光変調器についていえば、高ビットレート設計などにより、一般的に、駆動電圧が大きくなり、波長によるＬＮ光変調器の駆動電圧変動幅が拡大するため、広い使用波長範囲での伝送品質を維持することが困難である。
【００１６】
【発明が解決しようとする課題】
図５は、波長により光変調器の消光特性がずれた場合の光出力信号の変化を説明するために示したものであり、入力光の波長λが長い方（図示破線）が、入力光の波長λが短い方（図示実線）よりも駆動電圧振幅を大きく設定する必要があることがわかる。
【００１７】
ここで、消光特性は、光出力信号のオフレベルをＩ１または（Ｉ１）とし、光出力信号のオンレベルをＩ２とした場合、１０ｌｏｇＩ２／Ｉ１（ｄＢ）または１０ｌｏｇＩ２／（Ｉ１）（ｄＢ）で表される消光比によって示される。
【００１８】
また、最適な駆動電圧振幅からずれた状態で、ＬＮ光変調器の動作点を保つために自動バイアス制御を行う場合、その制御方法によっては安定した制御を行うことができない可能性もある。
【００１９】
図５においては、説明の簡単のため、オンレベルＩ２となる電圧が入力光の波長によって変化しない場合として表している。
【００２０】
図４は、市販品の４０Ｇｂｉｔ／ｓ用ＬＮ光変調器の波長と駆動電圧振幅（Ｖπ）の関係の一例を示す。
【００２１】
この図４に示されるデータによれば、駆動周波数が２６ＧＨｚでは波長範囲１５１０〜１６４０ｎｍで駆動電圧振幅範囲は５．８〜６．９Ｖ程度となり、約２０％ものＶπ（駆動電圧振幅）の変動があることがわかる。
【００２２】
本発明は、以上のような点に鑑みてなされたもので、波長に適した駆動電圧振幅で光変調器を駆動することにより、上記の波長依存特性による問題を解決し、広い入力波長範囲を有する光変調器駆動装置及びそれを用いる光伝送装置を提供することを目的とする。
【００２３】
【課題を解決するための手段】
図６は、本発明において採用されている消光比と駆動電圧振幅の制御関係を示した模式図である。
【００２４】
まず、図６の（ａ）に示すように、任意の波長において所定の消光比を満たすためには、駆動電圧をＶ０（＝Ｖπ）を中心としてＶ１〜Ｖ２の範囲に収まるように制御しなければならない。
【００２５】
また、図６の（ｂ）に示すように、駆動電圧振幅を一定（Ｖ０）とした場合、所定の消光比が得られる波長範囲はＶ０における消光比特性が所定の消光比内であるλ０１〜λ０２となる。
【００２６】
ここで、λ０１＜λ０＜λ０２であることは、図４より明らかである。　　　そして、図６の（ｃ）は、駆動電圧振幅Ｖ０１，Ｖ０，Ｖ０２を各波長範囲λ００１〜λ００３，λ００３〜λ０４，λ００４〜λ００６の駆動電圧とすることにより、所定の消光比が得られる波長範囲を拡大することができることを示したものである。
【００２７】
図６の（ａ）、（ｂ）より所定の消光比が得られる波長駆動電圧振幅の関係は、図７で示されるような所定の範囲（図示斜線部分）であることが分かる。
【００２８】
つまり、このような所定の範囲で制御が行われれば、所定の消光比が得られることになる。
【００２９】
本発明においては、以上のような消光比と駆動電圧振幅の制御関係を採用することにより、入力される被変調用の光信号についてある波長範囲ごとに変調用の電気信号の駆動電圧を制御することにより、入力光の波長適応範囲が広い光変調器駆動装置及びそれを用いる光伝送装置を提供することが可能となる。
【００３０】
具体的には、上記課題を解決するために、本発明によると、
（１）　被変調用の光信号が入力される光信号入力端子と、この光信号入力端子に入力される被変調用の光信号を強度変調するための変調用の電気信号を含む駆動信号が入力される駆動信号入力端子と、この駆動信号入力端子に入力される変調用の電気信号を含む駆動信号によって前記光信号入力端子に入力される被変調用の光信号が強度変調された光信号を出力する光信号出力端子とを備えた光変調器を駆動する光変調器駆動装置において、
前記光変調器の駆動信号入力端子に入力すべき駆動信号の駆動振幅レベルを出力振幅制御信号に応じて可変することが可能な光変調器駆動回路と、
前記光変調器の光信号入力端子に入力される被変調用の光信号の波長情報を取得する波長情報取得手段と、
この波長情報取得手段によって取得される被変調用の光信号の波長情報に応じて、前記光変調器駆動回路の出力振幅を予め測定データなどにより規定しておいた前記光変調器の変調性能を保証することが可能な所定の出力振幅値とするための前記出力振幅制御信号を前記光変調器駆動回路に出力する機能を有した制御回路（２）と、
を具備することを特徴とする光変調器駆動装置が提供される。
【００３１】
また、上記課題を解決するために、本発明によると、
（２）　前記制御回路は、前記光変調器が所定の波長帯域での消光比を含む所定の変調性能を保証することができる駆動電圧振幅を満たすように波長対駆動電圧振幅値がテーブル形式で格納されている波長対駆動電圧振幅メモリを含むことを特徴とする（１）記載の光変調器駆動装置が提供される。
【００３２】
また、上記課題を解決するために、本発明によると、
（３）　前記波長情報取得手段は、前記光変調器の光信号入力端子に入力される被変調用の光信号の波長設定値情報から前記波長情報を取得することを特徴とする（１）または（２）に記載の光変調器駆動装置が提供される。
【００３３】
また、上記課題を解決するために、本発明によると、
（４）　前記波長情報取得手段は、前記光変調器の光信号入力端子に入力される被変調用の光信号から前記波長情報を取得することを特徴とする（１）または（２）に記載の光変調器駆動装置が提供される。
【００３４】
また、上記課題を解決するために、本発明によると、
（５）　前記波長情報取得手段は、前記光変調器の光信号出力端子から出力される強度変調された光信号から前記波長情報を取得することを特徴とする（１）または（２）に記載の光変調器駆動装置が提供される。
【００３５】
また、上記課題を解決するために、本発明によると、
（６）　被変調用の光信号を出力する光源と、
前記光源からの被変調用の光信号が入力される光信号入力端子と、この光信号入力端子に入力される被変調用の光信号を強度変調するための変調用の電気信号を含む駆動信号が入力される駆動信号入力端子と、この駆動信号入力端子に入力される変調用の電気信号を含む駆動信号によって前記光信号入力端子に入力される被変調用の光信号が強度変調された光信号を出力する光信号出力端子とを備えた光変調器と、
前記光変調器の駆動信号入力端子に入力すべき駆動信号の駆動振幅レベルを出力振幅制御信号に応じて可変することが可能な光変調器駆動回路と、
前記光変調器の光信号入力端子に入力される被変調用の光信号の波長情報を取得する波長情報取得手段と、
この波長情報取得手段によって取得される被変調用の光信号の波長情報に応じて、前記光変調器駆動回路の出力振幅を予め測定データなどにより規定しておいた前記光変調器の変調性能を保証することが可能な所定の出力振幅値とするための前記出力振幅制御信号を前記光変調器駆動回路に出力する機能を有した制御回路（２）と、
を具備することを特徴とする光伝送装置が提供される。
【００３６】
また、上記課題を解決するために、本発明によると、
（７）　前記制御回路は、予め、前記光変調器が所定の波長帯域での消光比を含む所定の変調性能を保証することができる駆動電圧振幅を満たすように波長対駆動電圧振幅値がテーブル形式で格納されている波長対駆動電圧振幅メモリを含むことを特徴とする（６）に記載の光伝送装置が提供される。
【００３７】
また、上記課題を解決するために、本発明によると、
（８）　前記波長情報取得手段は、前記光変調器の光信号入力端子に入力される被変調用の光信号の波長設定値情報から前記波長情報を取得することを特徴とする（６）または（７）に記載の光伝送装置が提供される。
【００３８】
また、上記課題を解決するために、本発明によると、
（９）　前記波長情報取得手段は、前記光変調器の光信号入力端子に入力される被変調用の光信号から前記波長情報を取得することを特徴とする（６）または（７）に記載の光伝送装置が提供される。
【００３９】
また、上記課題を解決するために、本発明によると、
（１０）　前記波長情報取得手段は、前記光変調器の光信号出力端子から出力される強度変調された光信号から前記波長情報を取得することを特徴とする（６）または（７）に記載の光伝送装置が提供される。
【００４０】
【発明の実施の形態】
以下図面を参照して本発明の実施の形態について説明する。
【００４１】
図１は、光伝送装置１、光伝送線路２及び光受信装置３からなる光伝送システムに適用される本発明の一実施の形態による光変調器駆動装置１１Ａ及びそれを用いる光伝送装置１の構成を示すブロック図である。
【００４２】
すなわち、図１に示すように、この第１の実施の形態による光変調器駆動装置１１Ａは、被変調用の光信号が入力される光信号入力端子１１ａと、この光信号入力端子１１ａに入力される被変調用の光信号を強度変調するための変調用の電気信号を含む駆動信号が入力される駆動信号入力端子１１ｂと、この駆動信号入力端子１１ｂに入力される変調用の電気信号を含む駆動信号によって前記光信号入力端子１１ａに入力される被変調用の光信号が強度変調された光信号を出力する光信号出力端子１１ｃとを備えた光変調器１１の駆動装置１１Ａとして適用されている。
【００４３】
そして、光変調器１１の駆動装置１１Ａには、前記光変調器１１の駆動信号入力端子１１ｂに入力すべき駆動信号の駆動振幅レベルを出力振幅制御信号に応じて可変することが可能な駆動信号供給手段１２ａとしての光変調器駆動回路１２が備えられている。
【００４４】
また、光変調器１１の駆動装置１１Ａには、前記光変調器１１の光信号入力端子１１ａに入力される被変調用の光信号の波長情報を取得して、例えば、該波長情報を電圧に変換して前記第２の制御回路１３に供給する波長情報取得手段１４ａとしての波長情報設定手段１４が備えられている。
【００４５】
また、光変調器１１の駆動装置１１Ａには、前記波長情報設定手段１４からの出力を受けて、前記光変調器駆動回路１２の出力振幅を予め測定データなどにより規定しておいた前記光変調器の変調性能を保証することが可能な所定の出力振幅値とするための前記出力振幅制御信号を前記光変調器駆動回路１２に出力する機能を有した第２の制御回路１３が備えられている。
【００４６】
図２の（ａ）は、この第２の制御回路１３の一例を示すもので、予め、測定データなどにより規定される光変調器１１が所定の波長帯域での消光比を含む変調性能を保証することができる駆動電圧振幅を満たすように波長対駆動電圧振幅値がテーブル形式で格納されている波長対駆動電圧振幅メモリ１３ａが備えられている。
【００４７】
例えば、図６（ｃ）に示されるような関係が成り立つ場合には、以下の表１に示すように、所定の波長帯域（λ００１〜λ００６）を３ステップに区分したλ００１〜λ００３，λ００３〜λ００４，λ００４〜λ００６と、この３ステップに対応する駆動電圧振幅値としてのＶ０１，Ｖ０，Ｖ０２が波長対駆動電圧振幅メモリ１３ａにテーブル形式で格納されている。
【００４８】
【表１】
2004126024.tif 000003
【００４９】
第２の制御回路１３は、波長対駆動電圧振幅メモリ１３ａより、前記波長情報設定手段１４からの入力波長情報に対応する駆動電圧振幅を読み出すための駆動電圧読出手段１３ｂを備え、これによって読み出された駆動電圧振幅となるように、出力振幅制御信号ＶＣを前記光変調器駆動回路１２に出力する。
【００５０】
また、第２の制御回路１３は、予め、各駆動電圧振幅に対応する出力振幅制御信号ＶＣの値をテーブル形式で格納しておき、直接それを用いて出力振幅制御信号ＶＣを光変調器駆動回路１２に出力するようにしても良い。
【００５１】
図２の（ｂ）は、この第２の制御回路１３の他の例を示すもので、前記波長対駆動電圧振幅メモリ１３ａに代えて、前述したように、予め、測定データなどにより規定される光変調器１１が所定の波長帯域での消光比を含む変調性能を保証することができる駆動電圧振幅を満たすように、光変調器１１の光信号入力端子１１ａに入力される被変調用の光信号の波長情報を電圧信号に変換する波長情報電圧変換器１３ｃと、該電圧信号に基づいて前記出力振幅制御信号を出力する増幅器１３ｄとが備えられている。
【００５２】
このようにして光変調器駆動回路１２からの駆動電圧信号の出力振幅は、前記波長情報設定手段１４からの波長情報設定信号を受ける前記第２の制御回路１３によって可変制御されるようになされている。
【００５３】
なお、この光変調器駆動回路１２には、前記変調用の電気信号が外部から入力されるようになされている。
【００５４】
以上のように構成される光変調器駆動装置１１Ａを用いる光伝送装置１には、該光伝送装置１内で、前記光変調器１１の光信号入力端子１１ａに所定の波長範囲を有する被変調用の光信号を出力するための光源１０が備えられている。
【００５５】
また、この光伝送装置１には、前記光源１０から出力される光信号の出力レベル及び波長を設定値に合わせるための制御を行う第１の制御回路１５と、この第１の制御回路１５を介して前記光源１０から出力すべき光信号（最終的には該光伝送装置１の出力光信号）のレベルを設定する出力レベル設定手段１７と、同じく第１の制御回路１５を介して前記光源１０から出力される光信号の波長を設定する光源波長設定手段１８とが備えられている。
【００５６】
この光源波長設定手段１８から、前記波長情報設定手段１４に対しても、前記光源１０から出力される光信号の波長設定情報が供給されるようになされているものとする。
【００５７】
次に、以上のように構成される光伝送装置１、光伝送線路２及び光受信装置３からなる光伝送システムに適用される本発明の第１の実施の形態による光変調器駆動装置１１Ａ及びそれを用いる光伝送装置１の動作について説明する。
【００５８】
先ず、光源波長設定手段１８によって第１の制御回路１５を介して光源１０から出力すべき光信号の波長が設定されると共に、出力レベル設定手段１７によって同じく第１の制御回路１５を介して光源１０から出力すべき光信号（最終的には該光伝送装置１の出力光信号）の出力レベルが設定されることにより、前記光源１０から所定の波長及び出力レベルに設定された光信号が光変調器１１の光信号入力端子１１ａに被変調用の光信号として入力される。
【００５９】
この際、光源波長設定手段１８から、波長情報取得手段１４ａとしての波長情報設定手段１４に対しても、前記光源１０から出力される光信号の波長設定情報が供給されるので、それに基づいて、前述したように、第２の制御回路１３によって光変調器駆動回路１２から出力される駆動電圧信号が光変調器１１の変調性能を満たすように制御される。
【００６０】
そして、光変調器１１の光信号出力端子１１ｃからは、光変調器１１の駆動信号入力端子１１ｂに入力される変調用の電気信号を含む駆動信号によって光変調器１１の光信号入力端子１１ａに入力される被変調用の光信号が外部変調方式により強度変調された光信号として出力される。
【００６１】
この光変調器１１の光信号出力端子１１ｃから出力される光信号は、光伝送路２を介して光受信装置３に伝送される。
【００６２】
（変形例）
図３は、本発明に適用される波長情報取得手段１４ａの他の変形例の構成を示すブロック図である。
【００６３】
すなわち、図３の（ａ）は、前記光源１０の出力端子と光変調器１１の光信号入力端子１１ａとの間に、光源１０からの出力光の一部を分岐してその波長を検出する波長検出手段２３を挿入して、この波長検出手段２３を前述した波長情報取得手段１４ａとして用いる例である。
【００６４】
また、図３の（ｂ）は、前記光変調器１１の光信号出力端子１１ｃから出力される強度変調された光信号の一部を分岐してその波長を検出する波長検出手段２４を挿入して、この波長検出手段２４を前述した波長情報取得手段１４ａとして用いる例である。
【００６５】
このような波長情報取得手段１４ａの変形例として用いられる波長検出手段２３または波長検出手段２４によれば、前述したような光源波長設定手段１８から波長情報設定手段１４に対して出力される、前記光源１０から出力すべき光信号の波長設定情報でなく、実際に、光源１０あるいは光変調器１１から出力される光信号に基づいてその波長を検出するようにしているので、前記光変調器１１が所定の波長帯域での消光比を含む変調性能を保証することができる駆動電圧振幅を満たすための波長情報としての確度がそれだけ高くなるという利点がある。
【００６６】
【発明の効果】
従って、以上説明したように、本発明によれば、入力される被変調用の光信号の波長に適した変調用の電気信号の駆動電圧制御が可能となるため、入力光の波長適応範囲が広い光変調器駆動装置及びそれを用いる光伝送装置を提供することができる。
【図面の簡単な説明】
【図１】図１は、光伝送装置１、光伝送線路２及び光受信装置３からなる光伝送システムに適用される本発明の一実施の形態による光変調器駆動装置１１Ａ及びそれを用いる光伝送装置１の構成を示すブロック図である。
【図２】図２は、図１の第２の制御回路の具体例を示す図である。
【図３】図３は、図１の波長情報取得手段１４ａの他の変形例を示す図である。
【図４】図４は、市販品の４０Ｇｂｉｔ／ｓ用ＬＮ光変調器の波長と駆動電圧振幅（Ｖπ）の関係の一例を示す特性図である。
【図５】図５は、波長により光変調器の消光特性がずれた場合の光出力信号の変化を説明するために示す特性図である。
【図６】図６は、本発明に採用される波長と駆動電圧振幅との制御関係を示す模式図である。
【図７】図７は、本発明に採用される波長と駆動電圧振幅範囲との制御関係を示す模式図である。
【符号の説明】
１…光伝送装置、
２…光伝送線路、
３…光受信装置、
１１Ａ…光変調器駆動装置、
１１ａ…光信号入力端子、
１１ｂ…駆動信号入力端子、
１１ｃ…光信号出力端子、
１１ｄ…光信号分岐出力端子、
１１…光変調器、
１３…第２の制御回路、
１３ａ…波長対駆動電圧振幅メモリ、
１３ｂ…駆動電圧読出手段、
１３ｃ…波長情報電圧変換器
１３ｄ…増幅器、
１４ａ…波長情報取得手段、
１４…波長情報設定手段、
１２ａ…駆動信号供給手段、
１２…光変調器駆動回路、
１０…光源、
１５…第１の制御回路、
１７…出力レベル設定手段、
１８…光源波長設定手段。
【図１】
2004126024.tif 000004
【図２】
2004126024.tif 000005
【図３】
2004126024.tif 000006
【図４】
2004126024.tif 000007
【図５】
2004126024.tif 000008
【図６】
2004126024.tif 000009
【図７】
2004126024.tif 000010